(57)【要約】【課題】顔写真が含まれる原稿の画像を読み取る読取装置であって，ユーザが好む濃度の画像の出力が期待できる技術を提供すること。【解決手段】ＭＦＰ１００は，操作パネル４０にて読取指示を受け付けたことに応じて，画像読取部２０に原稿の読み取りを行わせる。ＩＤコピーモード等の顔写真が含まれる原稿を読み取るモードが設定された状態で，原稿の読み取りを行った場合，ＭＦＰ１００は，読取結果の１つに基づいて，濃度が異なる複数の画像６２，６３，６４を作成する。さらに，ＭＦＰ１００は，作成された複数の画像６２，６３，６４を１枚のシート５０に印刷する。【選択図】図４
2020048233.tif 000002
【特許請求の範囲】
【請求項１】
原稿を読み取る読取手段と，
前記読取手段による読み取りを行う読取指示を受け付ける受付手段と，
前記読取手段によって読み取られた原稿の画像を出力する出力手段と，
制御手段と，
を備え，
前記制御手段は，
前記受付手段にて前記読取指示を受け付けたことに応じて，前記読取手段に原稿の読み取りを行わせる読取処理と，
写真が含まれる原稿を読み取るモードが設定された状態で，前記読取処理にて原稿の読み取りを行った場合に，前記読取処理での読取結果の１つに基づいて，濃度が異なる複数の画像を作成する複数作成処理と，
前記モードが設定されていない状態で，前記読取処理にて原稿の読み取りを行った場合に，前記読取処理での読取結果の１つに基づいて，１つの画像を作成する単一作成処理と，
前記複数作成処理にて作成された前記複数の画像を，前記出力手段に出力させる出力処理と，
を実行し，
さらに前記制御手段は，
前記複数作成処理では，読取結果の濃度が閾値よりも高い場合に，前記複数の画像を作成する，
ことを特徴とする読取装置。
【請求項２】
請求項１に記載する読取装置において，
前記制御手段は，
前記モードが設定された状態で，前記読取処理にて原稿の読み取りを行った場合に，前記読取処理での読取結果に基づいて顔認識を行う顔認識処理を実行し，
前記複数作成処理では，前記顔認識処理にて顔認識に成功した場合に，前記顔認識処理にて顔と認識された領域の濃度が異なる前記複数の画像を作成する，
ことを特徴とする読取装置。
【請求項３】
請求項２に記載する読取装置において，
前記制御手段は，
前記顔認識処理では，前記読取処理での読取結果の画像から階調を下げた画像に基づいて顔認識を行う，
ことを特徴とする読取装置。
【請求項４】
原稿を読み取る読取手段と，
前記読取手段による読み取りを行う読取指示を受け付ける受付手段と，
前記読取手段によって読み取られた原稿の画像を出力する出力手段と，
制御手段と，
を備え，
前記制御手段は，
前記受付手段にて前記読取指示を受け付けたことに応じて，前記読取手段に原稿の読み取りを行わせる読取処理と，
写真が含まれる原稿を読み取るモードが設定された状態で，前記読取処理にて原稿の読み取りを行った場合に，前記読取処理での読取結果の１つに基づいて，濃度が異なる複数の画像を作成する複数作成処理と，
前記モードが設定されていない状態で，前記読取処理にて原稿の読み取りを行った場合に，前記読取処理での読取結果の１つに基づいて，１つの画像を作成する単一作成処理と，
前記複数作成処理にて作成された前記複数の画像を，前記出力手段に出力させる出力処理と，
を実行し，
さらに前記制御手段は，
前記モードが設定された状態で，前記読取処理にて原稿の読み取りを行った場合に，前記読取処理での読取結果に基づいて顔認識を行う顔認識処理を実行し，
前記複数作成処理では，前記顔認識処理にて顔認識に失敗した場合に，前記複数の画像を作成する，
ことを特徴とする読取装置。
【請求項５】
請求項４に記載する読取装置において，
前記制御手段は，
前記顔認識処理では，前記読取処理での読取結果の画像から階調を下げた画像に基づいて顔認識を行う，
ことを特徴とする読取装置。
【請求項６】
請求項１から請求項５のいずれか１つに記載する読取装置において，
前記出力手段は，画像をシートに印刷する印刷機能を有し，
前記制御手段は，
前記出力処理では，前記出力手段に前記複数の画像を１枚のシートに印刷させる，  ことを特徴とする読取装置。
【請求項７】
請求項１から請求項５のいずれか１つに記載する読取装置において，
前記出力手段は，画像を画面に表示する表示機能を有し，
前記制御手段は，
前記出力処理では，前記出力手段に前記複数の画像を前記画面に表示させ，
前記出力手段にて表示されている前記複数の画像のうち，印刷対象の画像を選択する選択処理と，
を実行することを特徴とする読取装置。
【請求項８】
請求項１および請求項４から請求項７のいずれか１つに記載する読取装置において，
前記制御手段は，
前記複数作成処理では，読み取った画像全体の濃度が異なる前記複数の画像を作成する，
ことを特徴とする読取装置。
【請求項９】
請求項１および請求項４から請求項７のいずれか１つに記載する読取装置において，
前記制御手段は，
前記複数作成処理では，読み取った画像のうち文字領域以外の濃度が異なる前記複数の画像を作成する，
ことを特徴とする読取装置。
【請求項１０】
請求項１から請求項９のいずれか１つに記載する読取装置において，
前記制御手段は，
前記モードが設定されている場合，前記読取処理の少なくとも１回は，前記モードが設定されていない場合より高い解像度での読み取りを行う，
ことを特徴とする読取装置。
【請求項１１】
請求項１０に記載する読取装置において，
前記制御手段は，
前記読取処理を２回実行し，前記読取処理の一方では，前記読取処理の他方より高い解像度で原稿を読み取る第１の読み取りを行い，前記読取処理の他方では，前記読取処理の一方より低い解像度で原稿を読み取る第２の読み取りを行い，
前記複数作成処理では，前記第１の読み取りでの読取結果に基づいて，前記複数の画像を作成し，前記第２の読み取りでの読取結果に基づいて，１つの画像を作成する，
ことを特徴とする読取装置。
【請求項１２】
請求項１１に記載する読取装置において，
前記制御手段は，
前記出力処理では，前記第１の読み取りでの読取結果に基づく前記複数の画像のそれぞれを，前記第２の読み取りでの読取結果に基づく前記１つの画像に隣接して配置する，  ことを特徴とする読取装置。
【発明の詳細な説明】
【技術分野】
【０００１】
本発明は，画像を読み取る読取装置に関する。さらに詳細には，読取装置にて写真を含む画像を読み取った際の出力に関する技術である。
【背景技術】
【０００２】
従来から，ＩＤカードや名刺等，顔写真が含まれる原稿の画像を読み取る特別なモードを有する読取装置が実用化されている。例えば，当該特別なモードを有する読取装置に関する技術として，当該特別なモードで読み取った際に，顔認識処理を行い，顔写真の領域の画像を補正する技術が知られている。
【０００３】
顔写真を含む画像を出力する技術を開示した文献としては，例えば，特許文献１がある。具体的に特許文献１には，写真画像データを調整するシステムであって，写真画像データの画像から顔写真の領域を推定し，顔写真の領域の輝度情報から，写真画像データの画像の明るさを調整する構成が開示されている。
【先行技術文献】
【特許文献】
【０００４】
【特許文献１】特開２００４−２４０８２９号公報
【発明の概要】
【発明が解決しようとする課題】
【０００５】
しかしながら，前記した従来の技術には，次のような問題があった。すなわち，自動的に１パターンの濃度に調整される。そのため，必ずしも読み取りを指示したユーザが好む濃度の画像を出力できるとは限らない。ユーザが好む濃度にはばらつきがあることから，改善の余地がある。
【０００６】
本発明は，前記した従来の技術が有する問題点を解決するためになされたものである。すなわちその課題とするところは，顔写真が含まれる原稿の画像を読み取る読取装置であって，ユーザが好む濃度の画像の出力が期待できる技術を提供することにある。
【課題を解決するための手段】
【０００７】
この課題の解決を目的としてなされた読取装置は，原稿を読み取る読取手段と，前記読取手段による読み取りを行う読取指示を受け付ける受付手段と，前記読取手段によって読み取られた原稿の画像を出力する出力手段と，制御手段と，を備え，前記制御手段は，前記受付手段にて前記読取指示を受け付けたことに応じて，前記読取手段に原稿の読み取りを行わせる読取処理と，写真が含まれる原稿を読み取るモードが設定された状態で，前記読取処理にて原稿の読み取りを行った場合に，前記読取処理での読取結果の１つに基づいて，濃度が異なる複数の画像を作成する複数作成処理と，前記モードが設定されていない状態で，前記読取処理にて原稿の読み取りを行った場合に，前記読取処理での読取結果の１つに基づいて，１つの画像を作成する単一作成処理と，前記複数作成処理にて作成された前記複数の画像を，前記出力手段に出力させる出力処理と，を実行することを特徴としている。
【０００８】
本明細書に開示される読取装置は，読取指示を受け付けて，読取手段に原稿の読み取りを行わせる。そして，写真が含まれる原稿を読み取るモードで読み取りを行った場合，１つの読取結果に基づいて，濃度の異なる複数の画像を作成する。さらに，読取装置は，作成した複数の画像を出力手段に出力させる。出力手段の出力には，例えば，シートへの印刷や画面への表示が含まれる。なお，読取装置は，写真が含まれる原稿を読み取るモード以外のモードで読み取りを行った場合には，１つの読取結果に基づいて，１つの画像を作成する。
【０００９】
すなわち，本明細書に開示される読取装置では，写真が含まれる原稿を読み取るモードで読み取った原稿の画像について，濃度が異なる複数の画像を作成して出力することで，ユーザはそれら複数の画像の中から好みの濃度の画像を選択できる。従って，読み取りを指示したユーザが好む濃度の画像が出力される可能性が高まる。
【００１０】
上記読取装置の機能を実現するための制御方法，コンピュータプログラム，および当該コンピュータプログラムを格納するコンピュータ読取可能な記憶媒体も，新規で有用である。
【発明の効果】
【００１１】
本発明によれば，顔写真が含まれる原稿の画像を読み取る読取装置であって，ユーザが好む濃度の画像の出力が期待できる技術が実現される。
【図面の簡単な説明】
【００１２】
【図１】実施の形態にかかるＭＦＰの概略斜視図である。
【図２】ＭＦＰの電気的構成を示すブロック図である。
【図３】写真コピーモードの例を示す説明図である。
【図４】ＩＤコピーモードの例を示す説明図である。
【図５】コピー処理の手順を示すフローチャートである。
【図６】ＩＤコピー処理の手順を示すフローチャートである。
【図７】印刷データ作成処理の手順を示すフローチャートである。
【図８】写真コピー処理の手順を示すフローチャートである。
【図９】画面表示の例を示す説明図である。
【図１０】印刷データ選択処理の手順を示すフローチャートである。
【発明を実施するための形態】
【００１３】
以下，本発明にかかる読取装置を具体化した第１の形態について，添付図面を参照しつつ詳細に説明する。本形態は，読取機能を備える複合機（ＭＦＰ：Ｍｕｌｔｉ  Ｆｕｎｃｔｉｏｎ  Ｐｅｒｉｐｈｅｒａｌ）に本発明を適用したものである。
【００１４】
第１の形態のＭＦＰ１００は，図１に示すように，画像形成部１０と，画像読取部２０と，操作パネル４０と，を備えている。画像形成部１０は，出力手段の一例である。画像読取部２０は，読取手段の一例である。操作パネル４０は，受付手段および出力手段の一例である。
【００１５】
画像形成部１０は，シートに画像を印刷するための構成である。画像形成部１０の画像形成方式は，電子写真方式であっても，インクジェット方式であってもよい。第１の形態のＭＦＰ１００は，カラー画像の形成が可能な装置であっても，モノクロ画像専用の装置であってもよい。また，ＭＦＰ１００は，両面印刷可能な装置であっても，片面印刷のみの装置であってもよい。
【００１６】
ＭＦＰ１００は，給紙トレイ１１と，排紙トレイ１２と，手差しトレイ１３と，を備えている。給紙トレイ１１は，印刷用のシートを収容する。排紙トレイ１２は，印刷済みのシートを収容する。手差しトレイ１３は，手差しによる印刷用のシートの挿入を受け付ける。ＭＦＰ１００は，給紙トレイ１１に収容されているシート，または，手差しトレイ１３から挿入されたシートに，画像形成部１０を用いて印刷し，印刷済みのシートを排紙トレイ１２に排紙する。
【００１７】
画像読取部２０は，原稿の画像を読み取るための構成である。読取方式は，ＣＣＤ方式であってもＣＩＳ方式であってもよい。第１の形態のＭＦＰ１００は，カラー読み取りが可能な装置であっても，モノクロ読み取りのみの装置であってもよい。また，ＭＦＰ１００は，両面読み取りが可能な装置であっても，片面読み取りのみの装置であってもよい。
【００１８】
画像読取部２０は，読取対象の原稿を搬送する機能を有するＡＤＦ（自動原稿搬送装置）２２を備える。ＡＤＦ２２は，図１に示すように，ＭＦＰ１００の筐体の上部に設けられ，原稿トレイ２４と，原稿排紙トレイ２５とを備える。画像読取部２０は，原稿トレイ２４に置かれた原稿の１枚をＡＤＦ２２に搬送させ，搬送中に原稿の画像を読み取り，読み取り済みの原稿を原稿排紙トレイ２５に排紙させる。
【００１９】
画像読取部２０のＡＤＦ２２は，図１中の左奥側の一辺を中心に回転可能であり，ＭＦＰ１００に対して開閉自在に設けられている。ＡＤＦ２２の下側には読取ガラスが設けられ，ＭＦＰ１００は，読取ガラスに置かれた原稿を読み取ることもできる。例えば，ＭＦＰ１００は，ＡＤＦ２２の原稿トレイ２４にシートの無い状態で読み取りの指示を受け付けると，読取ガラス上の原稿を読み取る。
【００２０】
操作パネル４０は，図１に示すように，液晶ディスプレイ４１と，ボタン群４２とを備える。ＭＦＰ１００は，動作状況等の各種の情報やユーザへのメッセージを操作パネル４０の液晶ディスプレイ４１に表示させる。ＭＦＰ１００は，画像読取部２０にて読み取った結果の画像や受信した画像データの画像等を液晶ディスプレイ４１に表示させてもよい。また，ＭＦＰ１００の液晶ディスプレイ４１は，入力操作も可能なタッチパネルであってもよい。その場合，ＭＦＰ１００は，各種のボタンを液晶ディスプレイ４１に表示させ，押下された位置に基づいて各種の指示を受け付ける。
【００２１】
ボタン群４２には，電源ボタン，実行ボタン，キャンセルボタン，テンキー等が設けられている。ＭＦＰ１００は，ボタン群４２への操作を受け付けた場合に，そのボタンにて発信される信号を受信することにより，各種の指示入力を受け付ける。
【００２２】
続いて，第１の形態のＭＦＰ１００の電気的構成について説明する。ＭＦＰ１００は，図２に示すように，ＣＰＵ３１と，ＲＯＭ３２と，ＲＡＭ３３と，ＮＶＲＡＭ（不揮発性ＲＡＭ）３４とを含むコントローラ３０を備えている。また，ＭＦＰ１００は，画像形成部１０と，画像読取部２０と，ネットワークＩＦ（インターフェース）３７と，ＵＳＢＩＦ３８と，操作パネル４０と，を備え，これらがコントローラ３０に電気的に接続されている。
【００２３】
ＲＯＭ３２には，ＭＦＰ１００を制御するための各種制御プログラムや各種設定，初期値等が記憶されている。ＲＡＭ３３は，各種制御プログラムが読み出される作業領域として，あるいは，データを一時的に記憶する記憶領域として利用される。ＮＶＲＡＭ３４は，画像データ等のデータや各種設定，ユーザの情報等を記憶する領域として利用される。
【００２４】
ＣＰＵ３１は，ＲＯＭ３２から読み出した制御プログラムに従って，その処理結果をＲＡＭ３３またはＮＶＲＡＭ３４に記憶させながら，ＭＦＰ１００の各構成要素を制御する。ＣＰＵ３１は，制御手段の一例である。なお，コントローラ３０が制御手段であってもよい。また，図２中のコントローラ３０は，ＣＰＵ３１等，ＭＦＰ１００の制御に利用されるハードウェアを纏めた総称であって，実際にＭＦＰ１００に存在する単一のハードウェアを表すとは限らない。
【００２５】
ネットワークＩＦ３７は，ネットワークに接続する外部機器と通信を行うためのハードウェアである。通信方法は，有線であっても無線であってもよい。ＵＳＢＩＦ３８は，ＵＳＢメモリ等のフラッシュメモリが接続され，接続されたフラッシュメモリと通信を行うためのハードウェアである。
【００２６】
続いて，第１の形態のＭＦＰ１００にて，写真が含まれる原稿をコピーする制御について説明する。ＭＦＰ１００は，写真が含まれる原稿のコピーを実行するモードとして，例えば，写真コピーモードとＩＤコピーモードとを備えている。写真コピーモードでは，ＭＦＰ１００は，写真が含まれる原稿を他のモードの場合よりも高い解像度で読み取り，シートに印刷する。一方，ＩＤコピーモードでは，ＭＦＰ１００は，原稿の両面をそれぞれ読み取って，両面の画像データに基づく画像を，１枚のシートに印刷する。ＩＤコピーモードは，一方の面に顔写真が含まれるＩＤカード等をコピーするモードであり，顔写真が含まれると推定される面を他のモードの場合よりも高い解像度で読み取る。写真コピーモードやＩＤコピーモードでは，例えば，最高解像度等の設定された解像度よりも高い解像度で読み取る。
【００２７】
第１の形態のＭＦＰ１００は，読み取った画像データが，写真が含まれる原稿の画像データであると推定される場合に，１つの画像データに基づいて，濃度の異なる複数の画像を作成する。濃度の異なるとは，ブライトネス（平均した明暗の程度）に基づくものであっても，コントラスト（明暗の差の幅）に基づくものであってもよい。ＭＦＰ１００は，濃度の異なる画像として，例えば，元の濃度に対して１〜２割程度の濃度の増減を行った画像を作成する。濃度が異なる複数の画像を作成することで，ユーザは，好みの濃度の画像を選択できる。
【００２８】
ＭＦＰ１００は，写真コピーモードでは，例えば，図３に示すように，原稿を読み取った画像データ５１に基づいて，３種類の画像５２，５３，５４を作成する。画像５２は，画像データ５１に基づいて，濃度を変更せずに印刷したものである。画像５３は，画像データ５１に基づいて，明度を上げて印刷したものである。画像５４は，画像データ５１に基づいて，明度を下げて印刷したものである。この例では，３種類の画像５２，５３，５４を，１枚のシート５０に印刷している。なお，シートが小さい場合には，別々のシートに印刷してもよい。
【００２９】
また，ＭＦＰ１００は，ＩＤコピーモードでは，例えば，図４に示すように，原稿の両面を順に読み取って，１枚のシート５０に両面の画像を印刷する。第１画像データ６１は，１回目の読み取りにて取得される画像データである。ＭＦＰ１００は，ＩＤコピーモードが選択された時に，ＩＤカード等のうち，顔写真の付いている面を先に読み取ることを推奨するメッセージを液晶ディスプレイ４１に表示する。つまり，１回目の読み取りにて取得される第１画像データ６１は，顔写真の画像を含む第１面の画像データであると推定される。
【００３０】
そこで，ＭＦＰ１００は，第１画像データ６１に基づいて，複数の画像６２，６３，６４を作成して，図４に示すように，１枚のシート５０に印刷する。画像６２は，第１画像データ６１に基づいて，濃度を変更せずに印刷したものである。画像６３は，第１画像データ６１に基づいて，明度を上げて印刷したものである。画像６４は，第１画像データ６１に基づいて，明度を下げて印刷したものである。
【００３１】
また，第２画像データ６５は，２回目の読み取りにて取得される画像データである。２回目の読み取りでは，第１面の反対側の写真を含まない面がセットされていると推定される。つまり，２回目の読み取りにて取得される第２画像データ６５は，顔写真の画像を含まない第２面の画像データであると推定される。ＭＦＰ１００は，第２画像データ６５に基づいて，１つの画像６６のみを作成する。顔写真を含んでいない画像では，ユーザの好みによる選択の必要性は小さい。従って，濃度の異なる画像を印刷する必要性は小さい。
【００３２】
そして，ＭＦＰ１００は，例えば，図４に示すように，第１画像データ６１に基づく複数の画像６２，６３，６４のそれぞれを，第２画像データ６５に基づく１つの画像６６に隣接させて配置し，１枚のシート５０に印刷する。具体的に，図４の例では，１画像６６の上方に画像６２が，画像６６の左方に画像６３が，画像６６の下方に画像６４が，それぞれ画像６６に隣接して配置されている。
【００３３】
続いて，ＭＦＰ１００にて，コピーを実行する動作を実現するコピー処理の手順について，図５のフローチャートを参照して説明する。コピー処理は，操作パネル４０等を介して，コピーの実行指示を受け付けたことを契機に，ＣＰＵ３１にて実行される。
【００３４】
コピー処理では，ＣＰＵ３１は，まず，ＩＤコピーモードが選択されているか否かを判断する（Ｓ１０１）。ＩＤコピーモードが選択されていないと判断した場合には（Ｓ１０１：ＮＯ），ＣＰＵ３１は，写真コピーモードが選択されているか否かを判断する（Ｓ１０２）。
【００３５】
そして，写真コピーモードも選択されていないと判断した場合には（Ｓ１０２：ＮＯ），ＣＰＵ３１は，画像読取部２０に，セットされている原稿を，設定されている解像度で読み取らせる（Ｓ１０５）。ＣＰＵ３１は，読み取りによって取得した１つの画像データに基づいて，１つの印刷データを作成する（Ｓ１０６）。さらに，ＣＰＵ３１は，作成した印刷データを用いて，指定されているシートに画像を印刷する（Ｓ１０７）。Ｓ１０５は，読取処理の一例であり，Ｓ１０６は，単一作成処理の一例である。
【００３６】
さらに，ＣＰＵ３１は，次の原稿が有るか否かを判断する（Ｓ１０９）。次の原稿が有ると判断した場合（Ｓ１０９：ＹＥＳ），ＣＰＵ３１は，Ｓ１０５に戻って，次の原稿の読み取りと印刷を実行する。次の原稿が無いと判断した場合（Ｓ１０９：ＮＯ），ＣＰＵ３１は，コピー処理を終了する。
【００３７】
一方，ＩＤコピーモードが選択されていると判断した場合（Ｓ１０１：ＹＥＳ），ＣＰＵ３１は，ＩＤコピー処理を実行する（Ｓ１１１）。ＩＤコピー処理は，前述したＩＤコピーモードの動作を実現する処理である。
【００３８】
次に，ＩＤコピー処理の手順について，図６のフローチャートを参照して説明する。ＩＤコピー処理では，ＣＰＵ３１は，液晶ディスプレイ４１に，ＩＤコピーの手順を説明するためのメッセージを表示させる（Ｓ２０１）。具体的に，メッセージには，ＩＤカードの顔写真の付いている面をセットして実行ボタンを押すことをユーザに促す文言が含まれる。そして，ＣＰＵ３１は，実行ボタンの押下を受け付けたか否かを判断する（Ｓ２０２）。
【００３９】
実行ボタンの押下を受け付けていないと判断した場合（Ｓ２０２：ＮＯ），ＣＰＵ３１は，所定のタイムアウト時間が経過したか否かを判断する（Ｓ２０３）。所定のタイムアウト時間が経過していないと判断した場合（Ｓ２０３：ＮＯ），ＣＰＵ３１は，Ｓ２０２に戻り，実行ボタンの押下を受け付けるか，または，タイムアウトとなるまで待機する。なお，実行ボタンの押下を受け付ける前に，他のボタンの押下を受け付けた場合，ＩＤコピーモードをキャンセルして，押下を受け付けた他のボタンの処理を実行する。
【００４０】
一方，タイムアウトとなる前に実行ボタンの押下を受け付けたと判断した場合（Ｓ２０２：ＹＥＳ），ＣＰＵ３１は，画像読取部２０に，最高解像度での読み取りを実行させる（Ｓ２０５）。Ｓ２０５は，読取処理の一例であり，第１の読み取りの一例である。なお，ＭＦＰ１００がカラー読取可能な装置であれば，Ｓ２０５では，カラー読取を実行する。そして，ＣＰＵ３１は，Ｓ２０５の読み取りにて取得した第１画像データ６１（図４参照）を，ＲＡＭ３３に保存する（Ｓ２０６）。
【００４１】
次に，ＣＰＵ３１は，液晶ディスプレイ４１に，ＩＤコピーの手順の続きを説明するためのメッセージを表示させる（Ｓ２０８）。具体的に，メッセージには，ＩＤカードの裏面をセットして実行ボタンを押すことをユーザに促す文言が含まれる。なお，Ｓ２０８のメッセージは，Ｓ２０１にて同時に表示してもよい。そして，ＣＰＵ３１は，実行ボタンの押下を受け付けたか否かを判断する（Ｓ２０９）。
【００４２】
実行ボタンの押下を受け付けていないと判断した場合（Ｓ２０９：ＮＯ），ＣＰＵ３１は，所定のタイムアウト時間が経過したか否かを判断する（Ｓ２１０）。タイムアウト時間は，Ｓ２０３とＳ２１０で，同じ時間であってもよいし，異なってもよい。所定のタイムアウト時間が経過していないと判断した場合（Ｓ２１０：ＮＯ），ＣＰＵ３１は，Ｓ２０９に戻り，実行ボタンの押下を受け付けるか，または，タイムアウトとなるまで待機する。
【００４３】
タイムアウトとなる前に実行ボタンの押下を受け付けたと判断した場合（Ｓ２０９：ＹＥＳ），ＣＰＵ３１は，画像読取部２０に，設定されている読取解像度であって，最高解像度より低い解像度での読み取りを実行させる（Ｓ２１２）。裏面には写真が含まれていないので，最高解像度で読み取る必要性は低い。Ｓ２１２は，読取処理の一例であり，第２の読み取りの一例である。
【００４４】
そして，ＣＰＵ３１は，Ｓ２１２の読み取りにて取得した第２画像データ６５（図４参照）を，ＲＡＭ３３に保存する（Ｓ２１３）。さらに，ＣＰＵ３１は，印刷データ作成処理を実行する（Ｓ２１５）。印刷データ作成処理は，読み取った画像データに基づいて，印刷用のデータを作成する処理である。
【００４５】
次に，印刷データ作成処理の手順について，図７のフローチャートを参照して説明する。印刷データ作成処理では，ＣＰＵ３１は，まず，ＩＤコピー処理のＳ２０６にて保存した第１画像データ６１を読み出す（Ｓ３０１）。
【００４６】
ＣＰＵ３１は，読み出した第１画像データ６１の階調を低下させ，低階調の画像データを作成する（Ｓ３０２）。さらに，ＣＰＵ３１は，作成した低階調の画像データに基づいて顔認識を行う顔認識処理を実行する（Ｓ３０３）。顔認識処理は，画像データ中に含まれる顔画像の領域を推定する処理である。Ｓ３０３は，顔認識処理の一例である。なお，顔認識のアルゴリズムは，公知技術であり，説明を省略する。
【００４７】
ＭＦＰ１００は，顔認識処理を，ハードウエアで実行してもよいし，ソフトウエアで実行してもよい。つまり，ＭＦＰ１００は，顔認識処理用の専用基板（ハードウエア）を備えて，ハードウエアによる顔認識処理を行ってもよい。また，ＭＦＰ１００は，顔認識処理のプログラム（ソフトウエア）を，ＲＯＭ３２またはＮＶＲＡＭ３４に記憶して備え，ソフトウエアによる顔認識処理を行ってもよい。
【００４８】
なお，顔認識処理において，顔と認識される許可レベルは，例えば，ユーザの目視での顔認識の許可レベルよりも低い可能性がある。つまり，ユーザには顔画像と認識し難い画像でも，顔認識処理では顔画像と判断される可能性がある。ＭＦＰ１００では，階調を低下させた画像データを用いて顔認識処理を実行するので，顔認識処理の精度が低下する。これにより，顔認識処理の結果が，ユーザの目視での顔認識の許可レベルと合致し易い。
【００４９】
そして，ＣＰＵ３１は，Ｓ３０３の顔認識処理による顔認識に成功したか否かを判断する（Ｓ３０５）。顔認識に成功したとは，顔画像の領域を特定したことを意味する。つまり，顔認識に成功した場合には，対象の画像データ中に顔画像と判断できる画像領域が含まれており，比較的明瞭な顔写真であったと推定できる。一方，顔認識に成功しなかった場合には，顔画像と判別できなかったことを意味し，仮に顔写真が含まれていたとしても，例えば，全体に暗く顔写真の部分が不明瞭な画像となってしまっている可能性が高い。
【００５０】
顔認識に成功したと判断した場合（Ｓ３０５：ＹＥＳ），ＣＰＵ３１は，Ｓ３０１にて読み出した第１画像データ６１を，印刷用の画像データに変換する（Ｓ３０７）。例えば，モノクロ印刷が指定されていて，カラーでの読み取りを実行した場合，ＣＰＵ３１は，カラー画像データをモノクロ画像データに変換する。さらに，ＣＰＵ３１は，ＩＤコピー処理のＳ２１３にて保存した，第２画像データ６５を読み出す（Ｓ３０８）。
【００５１】
そして，ＣＰＵ３１は，第１画像データ６１に基づく画像と第２画像データ６５に基づく画像とを隣接させた画像を含む印刷用データを作成し（Ｓ３０９），ＩＤコピー処理に戻る。第１画像データ６１に基づく画像は，Ｓ３０７にて変換後の画像データの画像であり，第２画像データ６５に基づく画像は，Ｓ３０８にて読み出した画像データの画像である。つまり，顔認識に成功した場合，ＣＰＵ３１は，第１画像データ６１に基づく画像と第２画像データ６５に基づく画像とを，それぞれ１つずつ，１枚のシートに印刷する。顔認識に成功した場合には，ユーザが不満に思うような印刷結果とはならない可能性が高い。そのため，顔認識に成功した場合には，複数の画像を作成しない方が，無駄が少ない。
【００５２】
一方，顔認識に成功しなかったと判断した場合（Ｓ３０５：ＮＯ），ＣＰＵ３１は，Ｓ３０１にて読み出した第１画像データ６１を，印刷用の画像データに変換する（Ｓ３１１）。Ｓ３１１は，Ｓ３０７と同様の処理である。
【００５３】
そして，ＣＰＵ３１は，Ｓ３１１にて変換後の画像データに基づいて，元の第１画像データ６１とは濃度の異なる画像データを作成する（Ｓ３１２）。Ｓ３１２では，ＣＰＵ３１は，１以上の画像データを作成する。これにより，第１画像データ６１と合わせて，複数の画像データが作成される。Ｓ３１２は，複数作成処理の一例である。Ｓ３１２では，ＣＰＵ３１は，例えば，図４に示したように，第１画像データ６１の画像より全体の明度を上げた画像６３の画像データと，第１画像データ６１の画像より全体の明度を下げた画像６４の画像データとの２種類の画像データを作成する。
【００５４】
さらに，ＣＰＵ３１は，ＩＤコピー処理のＳ２１３にて保存した，第２画像データ６５を読み出す（Ｓ３１３）。そして，ＣＰＵ３１は，第１画像データ６１に基づく複数の画像のそれぞれを第２画像データ６５に基づく１つの画像に隣接させた画像を含む印刷用データを作成し（Ｓ３１５），ＩＤコピー処理に戻る。第１画像データ６１に基づく複数の画像は，Ｓ３１１にて変換後の画像データの画像と，Ｓ３１２にて作成された１以上の画像データの画像である。第２画像データ６５に基づく１つの画像は，Ｓ３１３にて読み出した画像データの画像である。
【００５５】
つまり，顔認識に失敗した場合，ＣＰＵ３１は，第１画像データ６１に基づいて複数の画像を作成し，例えば，図４に示したように，複数の画像のそれぞれを第２画像データ６５に基づく画像に隣接させて，１枚のシートに印刷する。顔認識に失敗した場合には，ユーザが不満に思うような印刷結果となる可能性がある。そのため，顔認識に失敗した場合には，複数の画像を作成することで，ユーザに好みの画像を選択させることができる。
【００５６】
ＩＤコピー処理では，ＣＰＵ３１は，Ｓ２１５の印刷データ作成処理の後，作成した印刷用データに基づいて，画像形成部１０に印刷を実行させる（Ｓ２１７）。Ｓ２１７は，出力処理の一例である。ＣＰＵ３１は，印刷データ作成処理において，第１画像データに基づく画像と，第２画像データに基づく画像とが，１枚のシートに含まれる印刷用データを作成している。印刷データ作成処理のＳ３０９にて作成した印刷用データに基づいて印刷を実行すると，１枚のシートにＩＤカードの表裏の画像が１つずつ印刷される。また，印刷データ作成処理のＳ３１５にて作成した印刷用データに基づいて印刷を実行すると，例えば，図４に示したように，写真付きの面の複数の画像が，裏面の画像の周囲に並んで印刷されたシート５０が出力される。
【００５７】
なお，図４の例では，第１画像データに基づく画像６２，６３，６４のそれぞれは，第２画像データに基づく画像６６に隣接して配置されている。そこで，ユーザは，図４に破線Ｌ１，Ｌ２，Ｌ３で示すように，画像６２，６３，６４のいずれでも好みの画像を，画像６６と連結した１枚として切り取ることができる。出力画像のレイアウトとして，第２画像データに基づく画像６６に，第１画像データに基づく濃度が異なる複数の画像６２，６３，６４をそれぞれ隣接させて，１枚のシート５０に印刷することで，シートの無駄が少なく，印刷物の使い勝手が良い。
【００５８】
Ｓ２１７の後，または，タイムアウトとなったと判断した場合（Ｓ２０３：ＹＥＳ，または，Ｓ２１０：ＹＥＳ），ＣＰＵ３１は，ＩＤコピー処理を終了して，図５のコピー処理に戻る。そして，ＣＰＵ３１は，コピー処理を終了する。なお，ＩＤコピー処理の終了後，モードが変更されることなく，再び実行ボタンが押下された場合には，再度ＩＤコピー処理を実行するとしてもよい。
【００５９】
一方，コピー処理のＳ１０２にて，写真コピーモードが選択されていると判断した場合（Ｓ１０２：ＹＥＳ），ＣＰＵ３１は，写真コピー処理を実行する（Ｓ１１２）。写真コピー処理は，前述した写真コピーモードの動作を実現する処理である。
【００６０】
次に，写真コピー処理の手順について，図８のフローチャートを参照して説明する。写真コピー処理は，ＩＤコピー処理のうち，第１面に関する処理だけを残し，第２面の処理を削除した処理である。ＩＤコピー処理と同じ手順については，同じ符号を付し，説明を省略する。
【００６１】
写真コピー処理では，ＣＰＵ３１は，まず，実行ボタンの押下を受け付けたか否かを判断する（Ｓ２０２）。実行ボタンの押下を受け付けていないと判断した場合（Ｓ２０２：ＮＯ），ＣＰＵ３１は，所定のタイムアウト時間が経過したか否かを判断する（Ｓ２０３）。所定のタイムアウト時間が経過していないと判断した場合（Ｓ２０３：ＮＯ），ＣＰＵ３１は，実行ボタンの押下またはタイムアウトを待機する。
【００６２】
実行ボタンの押下を受け付けたと判断した場合（Ｓ２０２：ＹＥＳ），ＣＰＵ３１は，最高解像度での読み取りを実行する（Ｓ２０５）。そして，ＣＰＵ３１は，取得した画像データを，ＲＡＭ３３に保存する（Ｓ２０６）。さらに，ＣＰＵ３１は，印刷データ作成処理を実行する（Ｓ２１５）。
【００６３】
印刷データ作成処理は，図７に示した処理と同様の処理である。なお，印刷データ作成処理が写真コピー処理中で実行される場合，第２画像データを読み出すステップ（Ｓ３０８とＳ３１３）は，スキップする。つまり，ＣＰＵ３１は，読み取った写真の画像データに対して顔認識処理を実行し，顔認識処理に成功した場合には１つ，顔認識処理に失敗した場合には複数の画像データを作成する。さらに，ＣＰＵ３１は，複数の画像データを作成した場合には，それらを１枚のシートに印刷するための印刷用データを作成する。
【００６４】
そして，図８の写真コピー処理に戻り，Ｓ２１５の印刷データ作成処理の後，ＣＰＵ３１は，作成した印刷用データに基づいて，画像形成部１０に印刷を実行させる（Ｓ２１７）。Ｓ２１７の後，または，タイムアウトとなったと判断した場合（Ｓ２０３：ＹＥＳ），ＣＰＵ３１は，写真コピー処理を終了して，図５のコピー処理に戻り，コピー処理を終了する。
【００６５】
以上，詳細に説明したように，第１の形態のＭＦＰ１００によれば，写真が含まれる画像をコピーするモードが設定された状態で原稿の読み取りを行った場合，読み取りによって取得される１つの画像データに基づいて，濃度の異なる複数の画像を作成する。さらに，作成した複数の画像を，１枚のシートに印刷する。読み取った原稿の画像について，濃度が異なる複数の画像を作成して出力することで，ユーザはそれらの複数の画像の中から好みの濃度の画像を選択できる。従って，読み取りを指示したユーザが好む濃度の画像が出力される可能性が高まる。
【００６６】
続いて，本発明にかかる読取装置を具体化した第２の形態について，添付図面を参照しつつ詳細に説明する。第２の形態は，第１の形態のＭＦＰ１００と同様の装置において，複数の画像データを作成した後の処理が異なるものである。第１の形態のＭＦＰ１００と同じ構成や手順については，同じ符号を付し，説明を省略する。
【００６７】
第２の形態のＭＦＰ１００は，作成した複数の画像データを１枚のシートに印刷する代わりに，図９に示すように，液晶ディスプレイ４１に表示してユーザの選択を受け付ける。そして，ＭＦＰ１００は，選択された画像を印刷する。ＩＤコピーモードでは，ＭＦＰ１００は，選択された画像と裏面の画像とを１枚のシートに印刷する。写真コピーモードでは，ＭＦＰ１００は，選択された画像のみを１枚のシートに印刷する。このようにしても，ユーザは，好みの濃度の画像の印刷物を入手できる。
【００６８】
第２の形態のＭＦＰ１００では，第１の形態のコピー処理において実行される印刷データ作成処理（図７）に代えて，印刷データ選択処理を実行する。印刷データ選択処理の手順について，図１０のフローチャートを参照して説明する。印刷データ選択処理は，図７の印刷データ作成処理に，いくつかのステップを追加したものであり，印刷データ作成処理と同じ手順については，同じ符号を付して説明を省略する。
【００６９】
第２の形態の印刷データ選択処理では，ＣＰＵ３１は，まず，第１画像データ６１を読み出す（Ｓ３０１）。そして，ＣＰＵ３１は，読み出した第１画像データ６１の階調を低下させ（Ｓ３０２），顔認識処理を実行する（Ｓ３０３）。さらに，ＣＰＵ３１は，顔認識に成功したか否かを判断する（Ｓ３０５）。
【００７０】
そして，顔認識処理にて顔認識に成功したと判断した場合（Ｓ３０５：ＹＥＳ），ＣＰＵ３１は，第１画像データ６１を印刷用の画像データに変換する（Ｓ３０７）。さらに，第２画像データ６５を読み出し（Ｓ３０８），第１画像データ６１に基づく画像と第２画像データ６５に基づく画像とを隣接させた画像を含む印刷用データを作成し（Ｓ３０９），ＩＤコピー処理または写真コピー処理に戻る。
【００７１】
一方，顔認識処理にて顔認識に成功しなかったと判断した場合（Ｓ３０５：ＮＯ），ＣＰＵ３１は，第１画像データ６１を印刷用の画像データに変換する（Ｓ３１１）。そして，ＣＰＵ３１は，変換後の画像データに基づいて，元の第１画像データ６１とは濃度の異なる画像データを作成する（Ｓ３１２）。
【００７２】
そして，ＣＰＵ３１は，液晶ディスプレイ４１に，元の第１画像データ６１に基づく画像とＳ３１２にて作成した画像データに基づく画像とを表示させる（Ｓ５０１）。ＣＰＵ３１は，液晶ディスプレイ４１に，例えば，図９に示したように，複数の画像データと，そのうちの１つを選択する選択入力を受け付ける画面とを表示させる。第２の形態では，Ｓ５０１が出力処理の一例であり，液晶ディスプレイ４１は，出力手段の一例である。
【００７３】
そして，ＣＰＵ３１は，ユーザによる選択入力を受け付けたか否かを判断する（Ｓ５０２）。ユーザによる選択入力を受け付けていないと判断した場合（Ｓ５０２：ＮＯ），ＣＰＵ３１は，所定のタイムアウト時間が経過したか否かを判断する（Ｓ５０３）。所定のタイムアウト時間が経過していないと判断した場合（Ｓ５０３：ＮＯ），ＣＰＵ３１は，Ｓ５０２に戻り，選択入力を受け付けるか，または，タイムアウトとなるまで待機する。
【００７４】
タイムアウトとなる前に選択入力を受け付けたと判断した場合（Ｓ５０２：ＹＥＳ），ＣＰＵ３１は，選択された画像データを第１画像データ６１に基づく印刷用のデータに決定する（Ｓ５０５）。Ｓ５０５は，選択処理の一例である。一方，選択入力を受け付けることなくタイムアウトとなったと判断した場合（Ｓ５０３：ＹＥＳ），ＣＰＵ３１は，濃度の変更を行っていない元の画像データを第１画像データ６１に基づく印刷用のデータに決定する（Ｓ５０６）。
【００７５】
さらに，ＣＰＵ３１は，第２画像データ６５を読み出す（Ｓ３１３）。そして，ＣＰＵ３１は，Ｓ５０５またはＳ５０６にて決定した第１画像データ６１に基づく印刷用のデータの画像と，Ｓ３１３にて読み出した第２画像データ６５に基づく画像とを隣接させた画像を含む，印刷用データを作成し（Ｓ３１５），ＩＤコピー処理または写真コピー処理に戻る。
【００７６】
なお，第２の形態では，必ずしも印刷しなくてもよい。つまり，ＩＤコピー処理または写真コピー処理のＳ２１７に代えて，画像データの外部装置への送信を行ってもよい。例えば，Ｓ５０５またはＳ５０６にて決定した第１画像データと，Ｓ３１３にて読み出した第２画像データとを含む画像データを作成し，ユーザに指定された送信先の装置に送信してもよい。
【００７７】
以上，詳細に説明したように，第２の形態のＭＦＰ１００によっても，写真が含まれる画像をコピーするモードが設定された状態で原稿の読み取りを行った場合，読み取りによって取得される１つの画像データに基づいて，濃度の異なる複数の画像を作成する。さらに，作成した複数の画像を，液晶ディスプレイ４１に表示し，ユーザによる選択を受け付ける。読み取った原稿の画像について，濃度が異なる複数の画像を作成して表示することで，ユーザはそれら複数の画像の中から好みの濃度の画像を選択できる。従って，第２の形態のＭＦＰ１００によっても，読み取りを指示したユーザが好む濃度の画像が出力される可能性が高まる。さらに，第２の形態では，プレビュー表示によって印刷対象の画像をユーザに選択させるので，不要な画像が印刷されず，着色剤の無駄が少ない。
【００７８】
なお，各実施の形態は単なる例示にすぎず，本発明を何ら限定するものではない。したがって本発明は当然に，その要旨を逸脱しない範囲内で種々の改良，変形が可能である。例えば，読取装置は，ＭＦＰ１００に限らず，複写機，スキャナ，ＦＡＸ装置など，画像読取機能を備える装置であれば適用可能である。
【００７９】
また，例えば，写真が含まれる原稿の読取結果に基づいて，複数の画像データを作成すれば良く，作成する数は，３に限らない。２でもよいし，４以上でもよい。さらに，変更する濃度は，ブライトネスとコントラストとのいずれかに限らず，両方でもよい。また，カラーコピーの場合には，さらに色調も変更してもよい。
【００８０】
また，１枚のシートに複数の画像を印刷する場合における各画像の配置は，図３や図４に示した例に限らない。例えば，縦並びや横並びとしてもよい。また，例えば，ＩＤコピーにおいて，第２画像データ６５に基づく画像も複数印刷してもよい。例えば，第１画像データ６１に基づく複数の画像６２，６３，６４を縦に並べ，それぞれの横に隣接して，第２画像データ６５に基づく画像を配置させてもよい。その場合には，第２画像データ６５に基づく画像についても，濃度の異なる画像データを作成してもよい。また，１枚のシートに各画像を印刷する代わりに，複数の画像をそれぞれ別のシートに印刷してもよい。
【００８１】
また，複数の画像を作成する際に，全体の濃度を変更する方法に限らず，部分的に濃度を変更してもよい。例えば，文字領域を除く部分の濃度を変更してもよい。例えば，図４に示した第１画像データ６１に基づいて，図中で左側の半面のみの濃度を変更してもよい。このようにすれば，文字領域の濃度をも変更する場合と比較して，文字が読み難くならない。ただし，画像全体の濃度を変更すれば，部分的に濃度を変更する場合と比較して，制御がシンプルであり，濃度差の境界の無い自然な画像を作成できる。
【００８２】
また，例えば，顔認識に成功した場合には，複数の画像を作成する際に，顔と認識された領域のみの濃度を変更してもよい。このようにすれば，全体の濃度を変更する場合と比較して，元の原稿の画像をそのまま出力する箇所が多く，元の自然な画像（濃度変更が無い画像）をより多く残せる。
【００８３】
また，各実施の形態では，顔認識に成功した場合には，複数の画像の作成を行わないとしたが，顔認識の結果にかかわらず，ＩＤコピーモードではいつも複数の画像を作成するとしてもよい。その場合には，顔認識処理を実行しなくてもよい。具体的に，印刷データ作成処理または印刷データ選択処理のＳ３０２〜Ｓ３０９を削除し，Ｓ３０１の後，Ｓ３１１へ進むとしてもよい。ただし，顔認識が成功した場合には，ユーザが不満に思うような印刷結果とならない可能性が高い。そのため，顔認識処理を実行し，顔認識に失敗した場合のみ複数の画像を作成する方が，無駄が少ない。
【００８４】
また，各実施の形態では，印刷データ作成処理または印刷データ選択処理のＳ３０５にて，顔認識に失敗したことを複数の画像を作成する条件としたが，Ｓ３０５に適用する条件は，顔認識の失敗に限らない。例えば，読み取った画像の全体の濃度が所定の閾値より大きいことを条件として，複数の画像を作成するとしてもよい。画像の濃度（平均濃度）が大きい場合には，全体的に暗い画像となり，ユーザが不満に思うような印刷結果となる可能性がある。そのため，画像の濃度が大きい場合に複数の画像を作成する方が，無駄が少ない。
【００８５】
また，例えば，顔認識に成功した場合には，顔と認識された領域の平均の濃度を取得し，取得した平均の濃度が所定の閾値より大きいことを複数の画像を作成する条件としてもよい。顔領域の濃度が大きい場合には，顔領域が暗い画像となり，ユーザが不満に思うような印刷結果となる可能性がある。そのため，顔領域の濃度が大きい場合に複数の画像を作成する方が，無駄が少ない。
【００８６】
また，複数の画像を作成する条件は，装置ごとにいずれか１つの条件を備えていてもよいし，各装置が複数の条件を備えていてもよい。複数の条件を備える場合には，各装置にて使用する条件を予め選択するとしてもよいし，そのうちの１以上の条件を満たすことを条件としてもよい。
【００８７】
また，例えば，ＩＤコピーモードにおける両面読み取りの読み取り順序は，逆順であってもよい。つまり，写真を含まない面である裏面を先に読み取るようにしてもよい。例えば，ＩＤコピー処理のＳ２０１〜Ｓ２０６とＳ２０８〜Ｓ２１３との実行順を入れ替えてもよい。なお，読み取り順序は，予め決める代わりに，ユーザ指定でもよいし，顔認識の結果によって判断してもよい。ユーザ指定では，読み取り順序の指定を受け付けてから読み取ってもよいし，片面または両面の読み取り後に写真が含まれる面の指定を受け付けてもよい。また，顔認識では，読み取った画像に対して顔認識を実行し，顔写真が含まれると判断された面を写真が含まれる面であると判断すればよい。
【００８８】
また，顔認識処理の前に画像データの階調を低下させるとしたが，低下させなくてもよい。また，例えば，使用する顔認識処理の特徴に応じて，階調を低下させる程度を決定すればよい。
【００８９】
また，写真が含まれる原稿を読み取る際の読み取りの解像度は，最高解像度に限らない。写真の読み取りに好適な所定の解像度であればよい。また，カラー読取可能な装置であっても，モノクロ印刷が指定されている場合には，カラーでの読み取りを行わなくてもよい。また，設定された解像度が最高解像度であれば，裏面の読み取りも最高解像度で行うとよい。
【００９０】
また，作成した複数の画像の出力方法は，画像形成部１０による印刷（第１の形態），液晶ディスプレイ４１による表示（第２の形態）に限らず，外部装置への送信としてもよい。例えば，ＭＦＰ１００は，作成した複数の画像をＰＣ等に送信し，ＰＣ等から選択指示を受け付けて，選択された画像を印刷するとしてもよい。
【００９１】
また，各実施の形態に開示されている処理は，単一のＣＰＵ，複数のＣＰＵ，ＡＳＩＣなどのハードウェア，またはそれらの組み合わせで実行されてもよい。また，各実施の形態に開示されている処理は，その処理を実行するためのプログラムを記録した記録媒体，または方法等の種々の態様で実現することができる。
【符号の説明】
【００９２】
１０  画像形成部
２０  画像読取部
３１  ＣＰＵ
４０  操作パネル
４１  液晶ディスプレイ
１００  ＭＦＰ
【図１】
2020048233.tif 000003
【図２】
2020048233.tif 000004
【図３】
2020048233.tif 000005
【図４】
2020048233.tif 000006
【図５】
2020048233.tif 000007
【図６】
2020048233.tif 000008
【図７】
2020048233.tif 000009
【図８】
2020048233.tif 000010
【図９】
2020048233.tif 000011
【図１０】
2020048233.tif 000012